(57)【特許請求の範囲】
【請求項１】
加熱用長尺体が装備され且つ表面にシート状のパネル形成体用均熱体が止着されたパネル形成体に、複数の小根太がその小根太の幅方向に間隔を隔てて並設された床暖房パネルであって、
帯状の接着性シート状体が、前記複数の小根太の夫々に対して、前記小根太の表面部及び前記パネル形成体用均熱体における前記小根太に隣接する小根太隣接部分を一連に覆う状態で、それらに貼着されて設けられ、
前記接着性シート状体が、前記小根太の表面部における幅方向の中間に対応する部分を露出させる開口部を備える状態に、且つ、前記パネル形成体用均熱体における前記小根太隣接部分に貼着される部分の接着力を、前記パネル形成体用均熱体が前記パネル形成体に止着される止着力よりも弱くする状態に構成されている床暖房パネル。
【請求項２】
前記接着性シート状体が、熱伝導性の高い材料にて構成されている請求項１記載の床暖房パネル。
【請求項３】
前記小根太の表面部が、前記パネル形成体用均熱体とは分離された小根太用均熱体を前記小根太の表面に止着する状態に構成されている請求項１又は２記載の床暖房パネル。
【請求項４】
前記小根太の表面部が、小根太用均熱体を前記小根太の表面に止着する状態に構成され、
前記小根太用均熱体と前記パネル形成体用均熱体とが、分離用の脆弱接続部にて接続されている請求項１又は２記載の床暖房パネル。
【請求項５】
前記パネル形成体用均熱体が、前記パネル形成体と前記小根太との間に延びる状態で、前記パネル形成体の表面に止着されている請求項１〜３のいずれか１項に記載の床暖房パネル。
【請求項６】
請求項１〜５のいずれか１項に記載の床暖房パネルにおける前記小根太の長手方向の側方に配置される小根太長手方向側方用の周辺パネル本体部を備える床暖房パネル用周辺パネルであって、
前記小根太長手方向側方用の周辺パネル本体部の表面に、前記接着性シート状体の幅と同一又は略同一の幅に形成された小根太長手方向側方用の接着性帯状体が、前記複数の小根太夫々の仮想延長線上に位置する状態で貼着されている床暖房パネル用周辺パネル。
【請求項７】
請求項１〜５のいずれか１項に記載の床暖房パネルにおける前記複数の小根太の並び方向の側方に配置される小根太並び方向側方用の周辺パネル本体部を備える床暖房パネル用周辺パネルであって、
前記小根太並び方向側方用の周辺パネル本体部の表面に、前記接着性シート状体の幅と同一又は略同一の幅に形成された小根太並び方向側方用の接着性帯状体が、前記小根太の長手方向に沿わせて貼着されている床暖房パネル用周辺パネル。
【発明の詳細な説明】
【技術分野】
【０００１】
本発明は、加熱用長尺体が装備され且つ表面にシート状のパネル形成体用均熱体が止着されたパネル形成体に、複数の小根太がその小根太の幅方向に間隔を隔てて並設された床暖房パネル、その床暖房パネルにおける前記小根太の長手方向の側方に配置される小根太長手方向側方用の周辺パネル本体部を備える床暖房パネル用周辺パネル、及び、その床暖房パネルにおける前記複数の小根太の並び方向の側方に配置される小根太並び方向側方用の周辺パネル本体部を備える床暖房パネル用周辺パネルに関する。
【背景技術】
【０００２】
かかる床暖房パネルは、床下地材上に配置して小根太にビスを捩じ込んだり、釘を打ちつけることにより、床下地材上に敷設するものであり、更に、そのように敷設した床暖房パネルの小根太の表面部に接着剤を塗布して、木質材等で形成された床仕上げ材を床暖房パネルの表面に配置することにより、床仕上げ材を接着剤にて小根太に固定した状態で床暖房パネルの表面に敷設するようにしてある（例えば、特許文献１参照。）。
【０００３】
又、床暖房パネル用周辺パネル（以下、単に周辺パネルと記載する場合がある）としては、床暖房パネルにおける小根太の長手方向の側方に配置される小根太長手方向側方用の周辺パネル本体部を備える小根太長手方向側方用のもの、及び、床暖房パネルにおける複数の小根太の並び方向の側方に配置される小根太並び方向側方用の周辺パネル本体部を備える小根太並び方向側方用のものがある。
そして、小根太長手方向側方用の周辺パネル本体部を床暖房パネルにおける小根太の長手方向側方の床下地材上に接着剤等により固定することにより、小根太長手方向側方用の周辺パネルを敷設することになり、小根太並び方向側方用の周辺パネル本体部を床暖房パネルにおける複数の小根太の並び方向側方の床下地材上に接着剤等により固定することにより、小根太並び方向側方用の周辺パネルを敷設することになる（例えば、特許文献２参照。）。
【０００４】
前記特許文献２には明確には記載されていないが、小根太長手方向側方用の周辺パネルについては、上述のように固定した小根太長手方向側方用の周辺パネル本体部の表面において、床暖房パネルの複数の小根太夫々の仮想延長線上に沿ってその床暖房パネルの小根太の幅と同等の幅で延びる帯状の範囲夫々を床仕上げ材接着範囲とする。そして、その床仕上げ材接着範囲の夫々に接着剤を塗布して、床仕上げ材を周辺パネル本体部の表面に配置することにより、床仕上げ材を接着剤にて固定した状態で小根太長手方向側方用の周辺パネルの表面に敷設するようになっている。
例えば、小根太長手方向側方用の周辺パネル本体部に、それが床暖房パネルの小根太長手方向側方に配置された状態で、床暖房パネルの複数の小根太夫々の仮想延長線上に位置する状態となるように、複数の長手方向側方用小根太を設ける場合があり、その場合、複数の長手方向側方用小根太の表面部が床仕上げ材接着範囲となる。
【０００５】
又、前記特許文献２には明確には記載されていないが、小根太並び方向側方用の周辺パネルについては、上述のように固定した小根太並び方向側方用の周辺パネル本体部の表面において、床暖房パネルの小根太の長手方向に沿ってその床暖房パネルの小根太の幅と同等の幅で延びる帯状の範囲を床仕上げ材接着範囲とする。そして、その床仕上げ材接着範囲に接着剤を塗布して、床仕上げ材を周辺パネル本体部の表面に配置することにより、床仕上げ材を接着剤にて固定した状態で小根太長手方向側方用の周辺パネルの表面に敷設するようになっている。
例えば、小根太並び方向側方用の周辺パネル本体部に、それが床暖房パネルの小根太並び方向側方に配置された状態で、床暖房パネルの小根太の長手方向に沿う状態となるように、並び方向側方用小根太を設ける場合があり、その場合、並び方向側方用小根太の表面部が床仕上げ材接着範囲となる。
【０００６】
ところで、床仕上げ材に傷がつく等により、床暖房パネルの表面や周辺パネルの表面に敷設した床仕上げ材を張り替える場合がある。
一方、上述のように床暖房パネルの表面に床仕上げ材を敷設する際には、小根太の表面部に塗布された接着剤が床仕上げ材により押し広げられて、パネル形成体用均熱体の表面に広がって、床仕上げ材がパネル形成体用均熱体の表面にも接着される場合がある。
従って、床仕上げ材を床暖房パネルから剥がすときに、パネル形成体用均熱体も一緒に剥がれて、そのパネル形成体用均熱体に損傷を与えるのは勿論のこと、パネル形成体にも損傷を与える虞がある。
【０００７】
そこで、従来の床暖房パネルでは、床仕上げ材を剥がすときに、パネル形成体用均熱体やパネル形成体に損傷を与えるのを抑制するために、前記特許文献１に記載されているように、パネル形成体に止着されているパネル形成体用均熱体の表面に全面にわたって、接着剤が接着しない非接着層を設けていた。
そして、床暖房パネルの表面に床仕上げ材を敷設する際に接着剤がパネル形成体用均熱体の表面に広がったとしても、非接着層により接着剤がパネル形成体用均熱体に接着しないようにして、床仕上げ材を剥がすときに、パネル形成体用均熱体やパネル形成体に損傷を与えるのを抑制するようにしていた。
【０００８】
又、上述のように小根太長手方向側方用の周辺パネルの表面に床仕上げ材を敷設する際に、小根太長手方向側方用の周辺パネル本体部の床仕上げ材接着範囲に塗布された接着剤が、床仕上げ材により押し広げられて周辺パネル本体部における床仕上げ材接着範囲の外側に広がることにより、床仕上げ材が周辺パネル本体部における床仕上げ材接着範囲の外側にも接着される場合がある。
又、上述のように小根太並び方向側方用の周辺パネルの表面に床仕上げ材を敷設する際に、小根太並び方向側方用の周辺パネル本体部の床仕上げ材接着範囲に塗布された接着剤が、床仕上げ材により押し広げられて周辺パネル本体部における床仕上げ材接着範囲の外側に広がることにより、床仕上げ材が周辺パネル本体部における床仕上げ材接着範囲の外側にも接着される場合がある。
【０００９】
従って、床仕上げ材を小根太長手方向側方用や小根太並び方向側方用の周辺パネルから剥がすときに、小根太長手方向側方用や小根太並び方向側方用の周辺パネル本体部における床仕上げ材接着範囲の外側に損傷を与える虞がある。
【００１０】
そこで、前記特許文献２には記載されていないが、小根太長手方向側方用の周辺パネルにおいては、床仕上げ材を剥がすときに小根太長手方向側方用の周辺パネル本体部に損傷を与えるのを抑制するために、小根太長手方向側方用の周辺パネル本体部の表面における床仕上げ材接着範囲以外の全面にわたって接着剤が接着しない非接着層を設けることが考えられる。
又、小根太並び方向側方用の周辺パネルにおいては、床仕上げ材を剥がすときに小根太並び方向側方用の周辺パネル本体部に損傷を与えるのを抑制するために、小根太並び方向側方用の周辺パネル本体部の表面における床仕上げ材接着範囲以外の全面にわたって接着剤が接着しない非接着層を設けることが考えられる。
【００１１】
つまり、小根太長手方向側方用や小根太並び方向側方用の周辺パネルの表面に床仕上げ材を敷設する際に、接着剤が小根太長手方向側方用や小根太並び方向側方用の周辺パネル本体部における床仕上げ材接着範囲の外側に広がったとしても、非接着層により接着剤が小根太長手方向側方用や小根太並び方向側方用の周辺パネル本体部における床仕上げ材接着範囲の外側には接着しないようにして、床仕上げ材を剥がすときに、小根太長手方向側方用や小根太並び方向側方用の周辺パネル本体部における床仕上げ材接着範囲の外側に損傷を与えるのを抑制するのである。
【００１２】
【特許文献１】特開２００２−２７６９６８号公報
【特許文献２】特開２０００−２８３４８０号公報
【発明の開示】
【発明が解決しようとする課題】
【００１３】
しかしながら、従来の床暖房パネルでは、床仕上げ材を剥がすときに床暖房パネルが損傷するのを抑制するために、パネル形成体用均熱体の表面の全面にわたって非接着層を設けることから、非接着層を設ける範囲が広くなり、高価になるという問題があった。
【００１４】
又、従来の小根太長手方向側方用や小根太並び方向側方用の周辺パネルでは、床仕上げ材を剥がすときに小根太長手方向側方用や小根太並び方向側方用の周辺パネルが損傷するのを抑制するために、小根太長手方向側方用や小根太並び方向側方用の周辺パネル本体部の表面における床仕上げ材接着範囲以外の全面にわたって非接着層を設けることから、非接着層を設ける範囲が広くなり、高価になるという問題があった。
【００１５】
本発明は、かかる実情に鑑みてなされたものであり、その目的は、床仕上げ材を剥がすときの床暖房パネルの損傷を抑制しながら低廉化を図り得る床暖房パネル、及び、床仕上げ材を剥がすときの床暖房パネル用周辺パネルの損傷を抑制しながら低廉化を図り得る床暖房パネル用周辺パネルを提供することにある。
【課題を解決するための手段】
【００１６】
本発明の床暖房パネルは、加熱用長尺体が装備され且つ表面にシート状のパネル形成体用均熱体が止着されたパネル形成体に、複数の小根太がその小根太の幅方向に間隔を隔てて並設されたものであって、
その第１特徴構成は、帯状の接着性シート状体が、前記複数の小根太の夫々に対して、前記小根太の表面部及び前記パネル形成体用均熱体における前記小根太に隣接する小根太隣接部分を一連に覆う状態で、それらに貼着されて設けられ、
前記接着性シート状体が、前記小根太の表面部における幅方向の中間に対応する部分を露出させる開口部を備える状態に、且つ、前記パネル形成体用均熱体における前記小根太隣接部分に貼着される部分の接着力を、前記パネル形成体用均熱体が前記パネル形成体に止着される止着力よりも弱くする状態に構成されている点を特徴とする。
【００１７】
即ち、床暖房パネルの表面に床仕上げ材を敷設するときに、小根太の表面部に塗布した接着剤が広がっても、その広がった接着剤を接着性シート状体の表面上に止めてパネル形成体用均熱体の表面には付着しないようにしながら、床仕上げ材を、接着性シート状体の開口部を通して接着剤にて小根太の表面部に接着させる状態で、床暖房パネルの表面に敷設するようにすることが可能となる。
床仕上げ材を床暖房パネルから剥がすときには、その床仕上げ材と一緒に、接着性シート状体におけるパネル形成体用均熱体の小根太隣接部分に貼着されていた部分がパネル形成体用均熱体から剥がれるようにして、パネル形成体用均熱体が剥がれるのを防止することが可能となるので、パネル形成体用均熱体やパネル形成体に損傷を与えるのを抑制することが可能となる。
【００１８】
又、接着性シート状体を設ける範囲としては、床暖房パネルの表面に床仕上げ材を敷設するときに小根太の表面部に塗布した接着剤が広がる範囲をカバーできる範囲であれば十分であるので、接着性シート状体を設ける範囲を狭くすることが可能となり、床暖房パネルの低廉化を図ることが可能となる。
要するに、床仕上げ材を剥がすときの床暖房パネルの損傷を抑制しながら低廉化を図り得る床暖房パネルを提供することができるようになった。
【００１９】
床暖房パネルの第２特徴構成は、上記第１特徴構成に加えて、
前記接着性シート状体が、熱伝導性の高い材料にて構成されている点を特徴とする。
【００２０】
即ち、接着性シート状体が熱伝導性の高い材料にて構成されているので、加熱用長尺体から発生してパネル形成体用均熱体に伝導する熱を、接着性シート状体を通して小根太の表面部に良好に伝導させることが可能となる。
そして、加熱用長尺体から発生した熱を小根太の表面部に良好に伝導させることができるので、小根太の表面部も良好に加熱することができるようになり、床暖房パネルの表面の温度のバラツキを抑制することができる。
従って、床暖房時の床面の温度のバラツキを抑制することができるようになった。
【００２１】
床暖房パネルの第３特徴構成は、上記第１又は第２特徴構成に加えて、
前記小根太の表面部が、前記パネル形成体用均熱体とは分離された小根太用均熱体を前記小根太の表面に止着する状態に構成されている点を特徴とする。
【００２２】
即ち、小根太の表面部が、パネル形成体用均熱体とは分離された小根太用均熱体を小根太の表面に止着する状態に構成されているので、接着性シート状体が小根太の表面部の小根太用均熱体とパネル形成体用均熱体における小根太隣接部分とを一連に覆う状態で、それらに貼着される。
【００２３】
そして、加熱用長尺体から発生してパネル形成体用均熱体に伝導する熱を、接着性シート状体を介して小根太用均熱体に伝導させることができるので、小根太の表面部も良好に加熱することができるようになり、床暖房パネルの表面の温度のバラツキを抑制することができる。
特に、接着性シート状体を熱伝導性の高い材料にて構成する場合には、加熱用長尺体から発生した熱を、熱伝導性の高い接着性シート状体を介して良好に小根太用均熱体に伝導させることが可能となるので、床暖房パネルの表面の温度のバラツキをより一層抑制することができる。
【００２４】
又、床仕上げ材を床暖房パネルから剥がすときに、その床仕上げ材に接着されている接着性シート状体と一緒に、小根太用均熱体が小根太から剥がれたとしても、その小根太用均熱体はパネル形成体用均熱体と分離されていてパネル形成体用均熱体と縁が切れているので、パネル形成体用均熱体まで剥がれるのを防止することができる。
【００２５】
ちなみに、小根太を分離自在な状態でパネル形成体に設けた状態で、上述のように小根太の表面部にパネル形成体用均熱体と分離された小根太用均熱体を止着するようにすると、床仕上げ材を床暖房パネルから剥がすときに小根太が損傷しても、その損傷した小根太の交換が容易なようにすることができる。
そして、そのように小根太をパネル形成体と分離自在な状態でパネル形成体に設けても、接着性シート状体によりパネル形成体と小根太とが接続されているので、床暖房パネルの搬送作業や敷設作業を行い易いようにすることができる。
【００２６】
要するに、床仕上げ材を剥がすときの床暖房パネルの損傷をより一層抑制することができ、しかも、床暖房時の床面の温度のバラツキを抑制することができるようになった。
【００２７】
床暖房パネルの第４特徴構成は、上記第１又は第２特徴構成に加えて、
前記小根太の表面部が、小根太用均熱体を前記小根太の表面に止着する状態に構成され、
前記小根太用均熱体と前記パネル形成体用均熱体とが、分離用の脆弱接続部にて接続されている点を特徴とする。
【００２８】
即ち、小根太の表面部が小根太用均熱体を小根太の表面に止着する状態に構成され、その小根太用均熱体とパネル形成体用均熱体とが、分離用の脆弱接続部にて接続されているので、接着性シート状体が小根太の表面部の小根太用均熱体とパネル形成体用均熱体における小根太隣接部分とを一連に覆う状態で、それらに貼着される。
そして、加熱用長尺体から発生してパネル形成体用均熱体に伝導する熱を、そのパネル形成体用均熱体から脆弱接続部を介して小根太用均熱体に良好に伝導させることができるので、小根太の表面部も良好に加熱することができるようになり、床暖房パネルの表面の温度のバラツキを抑制することができる。
特に、接着性シート状体を熱伝導性の高い材料にて構成する場合には、加熱用長尺体から発生した熱を、接着性シート状体を介して良好に小根太用均熱体に伝導させることが可能となるので、床暖房パネルの表面の温度のバラツキをより一層抑制することができる。
【００２９】
又、床仕上げ材を床暖房パネルから剥がすときに、その床仕上げ材に接着されている接着性シート状体と一緒に、小根太用均熱体が小根太から剥がれたとしても、その小根太用均熱体が分離用の脆弱接続部にてパネル形成体用均熱体と分離されるようにすることが可能となるので、パネル形成体用均熱体まで剥がれるのを防止することができる。
従って、床仕上げ材を剥がすときの床暖房パネルの損傷をより一層抑制することができ、しかも、床暖房時の床面の温度のバラツキを抑制することができるようになった。
【００３０】
床暖房パネルの第５特徴構成は、上記第１〜第３特徴構成のいずれかに加えて、
前記パネル形成体用均熱体が、前記パネル形成体と前記小根太との間に延びる状態で、前記パネル形成体の表面に止着されている点を特徴とする。
【００３１】
即ち、パネル形成体用均熱体が、パネル形成体と小根太との間に延びる状態で、パネル形成体の表面に止着されているので、そのパネル形成体用均熱体の端部がパネル形成体と小根太との間に保持されると共に接着性シート状体に接着されない状態となる。
従って、床仕上げ材を床暖房パネルから剥がすときに、その床仕上げ材に接着されている接着性シート状体が剥がれても、パネル形成体用均熱体がその端からめくれるのを防止することが可能となり、パネル形成体用均熱体やパネル形成体に損傷を与えるのをより一層抑制することが可能となる。
【００３２】
又、小根太を設けるための小根太嵌入部をパネル形成体に形成して、その小根太嵌入部に小根太を設けない状態で、その小根太嵌入部をも覆う状態で、パネル形成体の表面にパネル形成体用均熱体を止着する。
又、小根太をパネル形成体用均熱体の上から小根太嵌入部に嵌入するのに伴って、パネル形成体用均熱体における小根太嵌入部を覆う部分を小根太嵌入部に押し込むことが可能なように、そのパネル形成体用均熱体における小根太嵌入部を覆う部分に、切れ目を形成する。
そして、パネル形成体用均熱体の上から小根太をパネル形成体用均熱体に嵌入すると、その嵌入に伴って、パネル形成体用均熱体における小根太嵌入部を覆っていた部分が、小根太嵌入部に押し込められることになって、パネル形成体用均熱体が、パネル形成体と小根太との間に延びる状態でパネル形成体の表面に止着される状態となる。
その状態で、小根太は分離自在な状態でパネル形成体に設けられるので、床仕上げ材を床暖房パネルから剥がすときに小根太が損傷しても、その損傷した小根太の交換が容易なようにすることができる。
【００３３】
つまり、単に、上述のようにパネル形成体用均熱体における小根太嵌入部を覆う部分に切れ目を形成して、パネル形成体用均熱体の上から小根太をパネル形成体用均熱体に嵌入するといった簡単な方法で、小根太を分離自在な状態でパネル形成体に設けることができるようになり、床暖房パネルの低廉化を図ることができる。
そして、そのように小根太をパネル形成体と分離自在な状態でパネル形成体に設けても、接着性シート状体によりパネル形成体と小根太とが接続されているので、床暖房パネルの搬送作業や敷設作業が行い易いものであることは勿論である。
要するに、床仕上げ材を剥がすときの床暖房パネルの損傷をより一層抑制することができ、しかも、小根太を分離自在に設けながら床暖房パネルの低廉化を図ることができるようになった。
【００３４】
本発明の床暖房パネル用周辺パネルは、上記第１〜第５特徴構成のいずれかの床暖房パネルにおける前記小根太の長手方向の側方に配置される小根太長手方向側方用の周辺パネル本体部を備えるものであって、
前記小根太長手方向側方用の周辺パネル本体部の表面に、前記接着性シート状体の幅と同一又は略同一の幅に形成された小根太長手方向側方用の接着性帯状体が、前記複数の小根太夫々の仮想延長線上に位置する状態で貼着されている点を特徴とする。
【００３５】
即ち、小根太長手方向側方用の周辺パネル本体部の表面に、接着性シート状体の幅と同一又は略同一の幅に形成された小根太長手方向側方用の接着性帯状体が、床暖房パネルの複数の小根太夫々の仮想延長線上に位置する状態で貼着されているので、複数の小根太長手方向側方用の接着性帯状体の夫々に接着剤を塗布して、床仕上げ材を小根太長手方向側方用の周辺パネル本体部の表面に配置することにより、床仕上げ材を、小根太長手方向側方用の周辺パネル本体部の表面に貼着された接着性帯状体に対して接着剤にて接着させた状態で、小根太長手方向側方用の周辺パネルの表面に敷設することができる。
そして、このようにして床仕上げ材を小根太長手方向側方用の周辺パネルの表面に敷設するときに、小根太長手方向側方用の接着性帯状体の表面部に塗布した接着剤が広がっても、その接着性帯状体の外側に広がらないようにすることが可能となる。
【００３６】
床仕上げ材を小根太長手方向側方用の周辺パネルから剥がすときには、その床仕上げ材と一緒に、小根太長手方向側方用の接着性帯状体が小根太長手方向側方用の周辺パネル本体部から剥がれるようにして、その周辺パネル本体部に損傷を与えるのを抑制することが可能となる。
【００３７】
そして、小根太長手方向側方用の接着性帯状体を貼着する範囲としては、小根太長手方向側方用の周辺パネルの表面に床仕上げ材を敷設するときに、その接着性帯状体の表面部に塗布した接着剤が広がる範囲をカバーできる範囲であれば十分であるので、小根太長手方向側方用の接着性帯状体を貼着する範囲を狭くすることが可能となり、床暖房パネルの低廉化を図ることが可能となる。
従って、床仕上げ材を剥がすときの床暖房パネル用周辺パネルの損傷を抑制しながら低廉化を図り得る床暖房パネル用周辺パネルを提供することができるようになった。
【００３８】
本発明の床暖房パネル用周辺パネルは、上記第１〜第５特徴構成のいずれかの床暖房パネルにおける前記複数の小根太の並び方向の側方に配置される小根太並び方向側方用の周辺パネル本体部を備えるものであって、
前記小根太並び方向側方用の周辺パネル本体部の表面に、前記接着性シート状体の幅と同一又は略同一の幅に形成された小根太並び方向側方用の接着性帯状体が、前記小根太の長手方向に沿わせて貼着されている点を特徴とする。
【００３９】
即ち、小根太並び方向側方用の周辺パネル本体部の表面に、接着性シート状体の幅と同一又は略同一の幅に形成された小根太並び方向側方用の接着性帯状体が、床暖房パネルの複数の小根太夫々の仮想延長線上に位置する状態で貼着されているので、複数の小根太並び方向側方用の接着性帯状体の夫々に接着剤を塗布して、床仕上げ材を小根太並び方向側方用の周辺パネル本体部の表面に配置することにより、床仕上げ材を、小根太並び方向側方用の周辺パネル本体部の表面に貼着された接着性帯状体に対して接着剤にて接着させた状態で、小根太並び方向側方用の周辺パネルの表面に敷設することができる。
そして、このようにして床仕上げ材を小根太並び方向側方用の周辺パネルの表面に敷設するときに、小根太並び方向側方用の接着性帯状体の表面部に塗布した接着剤が広がっても、その接着性帯状体の外側に広がらないようにすることが可能となる。
【００４０】
床仕上げ材を小根太並び方向側方用の周辺パネルから剥がすときには、その床仕上げ材と一緒に、小根太並び方向側方用の接着性帯状体が小根太並び方向側方用の周辺パネル本体部から剥がれるようにして、その周辺パネル本体部に損傷を与えるのを抑制することが可能となる。
【００４１】
そして、小根太並び方向側方用の接着性帯状体を貼着する範囲としては、小根太並び方向側方用の周辺パネルの表面に床仕上げ材を敷設するときに、その接着性帯状体の表面部に塗布した接着剤が広がる範囲をカバーできる範囲であれば十分であるので、小根太並び方向側方用の接着性帯状体を貼着する範囲を狭くすることが可能となり、低廉化を図ることが可能となる。
従って、床仕上げ材を剥がすときの床暖房パネル用周辺パネルの損傷を抑制しながら低廉化を図り得る床暖房パネル用周辺パネルを提供することができるようになった。
【発明を実施するための最良の形態】
【００４２】
〔第１実施形態〕
以下、図面に基づいて、本発明の第１実施形態を説明する。
図１に示すように、床暖房パネルＰＨは、暖房対象の床の略中央に敷き、床暖房パネル用周辺パネル（以下、単に周辺パネルを記載する場合がある）ＰＡは、床暖房パネルＰＨと暖房対象の床を区画する壁等の床区画材（図示省略）との間に敷き込み、それら床暖房パネルＰＨの表面及び周辺パネルＰＡの表面の全面にわたって、木質材等から形成された床仕上げ材１を敷設して、床暖房パネルＰＨの加熱作用により床仕上げ材１を昇温させて、床暖房するように構成してある。
【００４３】
図２に示すように、前記床暖房パネルＰＨは、加熱用長尺体としての熱媒流通管２が装備され且つ表面にシート状のパネル形成体用均熱体３Ｐが貼着されたパネル形成体４に、複数（この実施形態では８本）の小根太５をその小根太５の幅方向に間隔を隔てて並設して構成してある。
【００４４】
図１に示すように、前記周辺パネルＰＡには、前記床暖房パネルＰＨにおける前記小根太５の長手方向の側方に配置する小根太長手方向側方用の周辺パネル本体部３１を備えた小根太長手方向側方用の周辺パネルＰＡｍと、前記床暖房パネルＰＨにおける前記複数の小根太５の並び方向の側方に配置する小根太並び方向側方用の周辺パネル本体部３２を備えた小根太並び方向側方用の周辺パネルＰＡｎとがある。
【００４５】
前記床暖房パネルＰＨについて、説明を加える。
図１及び図２に示すように、前記パネル形成体４は、外径形状が矩形状になるように並べた複数の矩形状のパネル単位体６にて構成してある。
その矩形状のパネル形成体４に、前記複数の小根太５を、その長手方向の一部分に小根太５が存在しない小根太不存在部分７を形成する状態で、前記パネル形成体４の一辺方向に所定の小根太ピッチ（例えば、３０３ｍｍ）で並設してある。
具体的には、図３及び図４に示すように、パネル形成体４に、小根太５を嵌入するための小根太嵌入部４ｋを、上述の如き複数の小根太５の配置パターンに対応させて、パネル形成体４の側端縁から内方側に入り込む凹入状や、パネル形成体４の厚さ方向に貫通する開口状にて形成してある。
そして、前記パネル形成体４の厚さと同じ厚さの小根太５を各小根太嵌入部４ｋに嵌入することにより、パネル形成体４に前記複数の小根太５を、夫々が着脱自在な状態で、上述の如き配置パターンにて並設する構成としてある。
【００４６】
図２に示すように、前記熱媒流通管２は、パネル形成体４の表面側に、前記小根太不存在部分７を通過させる状態で、パネル形成体４の略全面にわたって蛇行状に装備し、その熱媒流通管２の両端部を、パネル形成体４の角部に配設した熱媒給排用のヘッダ８に接続してある。
具体的には、図３ないし図５に示すように、パネル形成体４の表面側に、図２に示す如き熱媒流通管２の配設パターンに対応させて、熱媒流通管２を収納するための溝部４ｍを形成し、この溝部４ｍに前記熱媒流通管２を収納してある。
【００４７】
そして、前記ヘッダ８を熱媒往き路及び熱媒戻し路（図示省略）にて熱源機（図示省略）に接続して、その熱源機により、熱媒流通管２を通して熱媒を循環させるように構成してある。
【００４８】
図２及び図３に示すように、この第１実施形態では、上述のように熱媒流通管２を装備し且つ複数の小根太５を並設したパネル形成体４の表面の全面にわたって、熱伝導率の高いアルミ箔等のシート状体の裏面に接着剤層を備えさせて接着自在なように構成した均熱用シート状体３を貼着する。
更に、前記均熱用シート状体３における各小根太不存在部分７の上部に対応する部分には、釘打ちを禁止する領域であることを示す釘打ち禁止シール９を貼付する。
【００４９】
そして、図２ないし図４に示すように、前記均熱用シート状体３に、小根太５とパネル形成体４との境界に沿って、その境界の全長にわたるように切れ目３ｓを形成してある。
【００５０】
つまり、前記均熱用シート状体３を、前記切れ目３ｓにより、パネル形成体４の表面に貼着された部分と小根太５の表面に貼着された部分とに分離して、前記均熱用シート状体３におけるパネル形成体４の表面に貼着された部分を前記パネル形成体用均熱体３Ｐとし、前記均熱用シート状体３における小根太５の表面に貼着された部分を小根太用均熱体３Ｋとするようにして、小根太５の表面部を、パネル形成体用均熱体３Ｐとは分離された小根太用均熱体３Ｋを小根太５の表面に止着する状態に構成してある。
このように小根太５の表面部にパネル形成体用均熱体３Ｐと分離された小根太用均熱体３Ｋを止着することにより、小根太５が分離自在な状態でパネル形成体４に設けられることになる。
【００５１】
詳細な説明及び図示を省略するが、前記パネル形成体４は、隣接するパネル単位体６同士を山折り又は谷折り状に折り曲げ自在に接続して、前記パネル形成体４を、複数のパネル単位体６を重ねる状態で、所定の形態に折り畳み可能なように構成してある。
【００５２】
ちなみに、前記パネル形成体４は、熱伝導率が低い発泡ポリスチレン等の発泡樹脂製であり、断熱性を有すると共に軽量化が可能となり、前記熱媒流通管２は、架橋ポリエチレン、ポリブテン等の樹脂製で可撓性を有している。
又、前記小根太５は、ビスの螺入が可能な木製又は樹脂製である。
【００５３】
図２ないし図４に示すように、本発明では、帯状の接着性シート状体１０を、前記複数の小根太５の夫々に対して、前記小根太５の表面部及び前記パネル形成体用均熱体３Ｐにおける前記小根太５に隣接する小根太隣接部分を一連に覆う状態で、それらに貼着して設け、その接着性シート状体１０を、前記小根太５の表面部における幅方向の中間に対応する部分を露出させる開口部１１を備える状態に、且つ、前記パネル形成体用均熱体３Ｐにおける前記小根太隣接部分に貼着される部分の接着力を、前記パネル形成体用均熱体３Ｐが前記パネル形成体４に貼着される貼着力よりも弱くする状態に構成してある。
【００５４】
以下、前記接着性シート状体１０について、説明を加える。
図２ないし図４に示すように、前記複数の小根太５の夫々に対して、２本の弱接着性テープ２１を、小根太５の幅方向に振り分けた状態で、且つ、夫々が小根太５の長手方向に沿う側縁の略全長にわたって小根太５の表面部とパネル形成体用均熱体３Ｐの小根太隣接部分とに跨る状態で、それら小根太５の表面部とパネル形成体用均熱体３Ｐの小根太隣接部分とに貼着して設けてある。
小根太５の表面部及びパネル形成体用均熱体３Ｐ夫々に対する前記弱接着性テープ２１の接着力は、パネル形成体４に対するパネル形成体用均熱体３Ｐの接着力、及び、後述する床仕上げ材用接着剤１６（図８参照）により床仕上げ材１を弱接着性テープ２１に接着させる接着力よりも弱くしてある。
【００５５】
つまり、この第１実施形態では、前記２本の弱接着性テープ２１により、前記接着性シート状体１０を構成してある。
小根太５の幅方向に振り分け配置した前記２本の弱接着性テープ２１の間において、前記小根太５の表面部における幅方向の中間に対応する部分を露出させることになり、それら２本の弱接着性テープ２１の間が、前記開口部１１に相当する。
つまり、前記開口部１１を、前記小根太５の表面部における幅方向の中間に対応する部分に、小根太５の長手方向の略全長にわたって連続させて形成してある。
【００５６】
又、この第１実施形態では、前記小根太５の表面部は、パネル形成体用均熱体３Ｐとは分離された小根太用均熱体３Ｋを小根太５の表面に止着する状態に構成してあるので、前記接着性シート状体１０は、前記小根太５の表面部である小根太用均熱体３Ｋとパネル形成体用均熱体３Ｐの小根太隣接部分とに跨る状態で貼着してある。
【００５７】
更に、図２、図３及び図５に示すように、前記釘打ち禁止シール９を相似的に拡大した形状の禁止シール覆い用弱接着性テープ１２を、釘打ち禁止シール９上に、その全周からはみ出させる状態で貼着してある。
釘打ち禁止シール９及びパネル形成体用均熱体３Ｐに対する禁止シール覆い用弱接着性テープ１２の接着力は、パネル形成体４に対するパネル形成体用均熱体３Ｐの接着力、及び、後述する床仕上げ材用接着剤１６（図８参照）により床仕上げ材１を禁止シール覆い用弱接着性テープ１２に接着させる接着力よりも弱くしてある。
【００５８】
そして、上述のように弱接着性テープ２１を小根太５の表面部とパネル形成体用均熱体３Ｐの小根太隣接部分とに跨る状態でそれらに貼着するに当たって、パネル形成体用均熱体３Ｐ側への弱接着性テープ２１のはみ出し量は、床仕上げ材１を小根太５の表面に固定する際の小根太５からの床仕上げ材用接着剤１６（図８参照）のはみ出し範囲（以下、単に床仕上げ材用接着剤はみ出し範囲と記載する場合がある）をカバーできる量に設定してある。
つまり、前記接着性シート状体１０の幅、即ち、前述のように小根太５の幅方向に振り分け配置した前記２本の弱接着性テープ２１夫々の外側の側縁部間の幅は、床仕上げ材１を小根太５の表面に固定する際の床仕上げ材用接着剤１６（図８参照）の広がり範囲（以下、単に床仕上げ材用接着剤広がり範囲と記載する場合がある）をカバーできる幅に設定してある。
【００５９】
又、前記禁止シール覆い用弱接着性テープ１２を釘打ち禁止シール９からはみ出させる量も、床仕上げ材用接着剤はみ出し範囲をカバーできる量に設定してある。
つまり、前記禁止シール覆い用弱接着性テープ１２の幅も、床仕上げ材用接着剤広がり範囲をカバーできる幅に設定してある
【００６０】
前記弱接着性テープ２１（即ち、接着性シート状体１０）、及び、前記禁止シール覆い用弱接着性テープ１２夫々は、熱伝導率が高く且つ床仕上げ材用接着剤１６を浸透させないアルミ箔等のシート状体の裏面に接着剤層を備えさせることにより形成して、接着自在で且つ床仕上げ材接着用の接着剤を浸透させないように構成してある。
【００６１】
上述のように、均熱用シート状体３に切れ目３を形成することにより、パネル形成体用均熱体３Ｐと小根太用均熱体３Ｋとに分離してあるが、それらパネル形成体用均熱体３Ｐと小根太用均熱体３Ｋとに跨って接着される接着性シート状体１０を、アルミ箔等の熱伝導率の高いシート状体にて構成してあるので、熱媒流通管２からパネル形成体用均熱体３Ｐに伝導する熱を、熱伝導性の高い接着性シート状体１０を介して良好に小根太用均熱体３Ｋに伝導させて、小根太５の表面部も良好に加熱することができる。
【００６２】
次に、前記周辺パネルＰＡについて説明を加える。
先ず、図１及び図６に基づいて、前記小根太長手方向側方用の周辺パネルＰＡｍについて説明を加える。尚、図６において、（イ）は小根太長手方向側方用の周辺パネルＰＡｍの平面図であり、（ロ）は側面図である。
前記小根太長手方向側方用の周辺パネルＰＡｍに備えさせる前記小根太長手方向側方用の周辺パネル本体部３１は、前記床暖房パネルＰＨと同厚さの細長矩形板状に形成してあり、前記床暖房パネルＰＨにおける前記小根太５の長手方向の側方に、その長手方向を床暖房パネルＰＨにおける複数の小根太５の並び方向に沿わせた姿勢で配置するように構成してある。
そして、その小根太長手方向側方用の周辺パネル本体部３１には、複数（この実施形態では６本）の長手方向側方用小根太３３を、前記床暖房パネルＰＨにおける複数の小根太５の並びピッチである小根太ピッチと同一の並びピッチにて並設してある。
つまり、前記複数の長手方向側方用小根太３３夫々の表面部を、床仕上げ材用接着剤１６（図１０参照）にて床仕上げ材１を周辺パネル本体部３１に接着するための床仕上げ材接着範囲とするように構成してある。
【００６３】
具体的には、前記小根太長手方向側方用の周辺パネル本体部３１は、前記複数の長手方向側方用小根太３３と、その長手方向側方用小根太３３と同長さの複数の矩形板状の長手方向側方用パネル単位体３４とを互い違いに並べた状態で接着剤にて固定して形成してある。
【００６４】
前記長手方向側方用パネル単位体３４は、前記パネル形成体４と同様に発泡樹脂製であり、前記長手方向側方用小根太３３は、前記床暖房パネルＰＨの小根太５と同幅であり、又、その床暖房パネルＰＨの小根太５と同様に、ビスの螺入が可能な木製又は樹脂製である。
【００６５】
そして、本発明では、小根太長手方向側方用の周辺パネル本体部３１の表面に、前記接着性シート状体１０の幅と同一の幅に形成した小根太長手方向側方用の接着性帯状体３５を、前記床暖房パネルＰＨにおける複数の小根太５夫々の仮想延長線上に位置する状態で貼着してある。
【００６６】
説明を加えると、小根太長手方向側方用の接着性帯状体３５を、前記複数の長手方向側方用小根太３３の夫々に対して、その長手方向側方用小根太３３の長手方向の全長にわたって、その長手方向側方用小根太３３及び長手方向側方用パネル単位体３４における長手方向側方用小根太３３に隣接する部分を一連に覆う状態で、それらに貼着して設けてある。
【００６７】
前記小根太長手方向側方用の接着性帯状体３５は、床仕上げ材用接着剤（図１０参照）を浸透させないアルミ箔等のシート状体の裏面に接着剤層を備えさせることにより形成して、接着自在で且つ床仕上げ材接着用接着剤１６を浸透させないようにしてある。
そして、その小根太長手方向側方用の接着性帯状体３５を長手方向側方用小根太３３及び長手方向側方用パネル単位体３４に接着させる接着力を、パネル形成体４に対するパネル形成体用均熱体３Ｐの接着力、及び、床仕上げ材用接着剤１６により床仕上げ材１を接着性帯状体３５に接着させる接着力よりも弱くしてある。
又、前記小根太長手方向側方用の接着性帯状体３５の幅を前記接着性シート状体１０の幅と同一の幅に形成することにより、その接着性帯状体３５により、床仕上げ材用接着剤広がり範囲をカバーできるように構成してある。
【００６８】
次に、図１及び図７に基づいて、前記小根太並び方向側方用の周辺パネルＰＡｎについて説明を加える。尚、図７において、（イ）は小根太並び方向側方用の周辺パネルＰＡｎの平面図であり、（ロ）は側面図である。
前記小根太並び方向側方用の周辺パネル本体部３２は、前記床暖房パネルＰＨと同厚さの細長矩形板状に形成してあり、前記床暖房パネルＰＨにおける前記複数の小根太５の並び方向の側方に、その長手方向を床暖房パネルＰＨの小根太５の長手方向に沿わせた姿勢で配置するように構成してある。
そして、その小根太並び方向側方用の周辺パネル本体部３２には、複数（この実施形態では２本）の並び方向側方用小根太３６を、その周辺パネル本体部３２が前記床暖房パネルＰＨにおける前記複数の小根太５の並び方向の側方に配置された状態において、その床暖房パネルＰＨにおいて前記小根太ピッチで並ぶ複数の小根太５に連なって前記小根太ピッチで並ぶ状態となるように設けてある。
つまり、前記複数の並び方向側方用小根太３６夫々の表面部を、床仕上げ材用接着剤１６（図１０参照）にて床仕上げ材１を周辺パネル本体部３２に接着するための床仕上げ材接着範囲とするように構成してある。
【００６９】
具体的には、前記小根太並び方向側方用の周辺パネル本体部３２は、複数の並び方向側方用小根太３６と、その並び方向側方用小根太３６と同長さの複数の矩形板状の並び方向側方用パネル単位体３７とを互い違いに並べた状態で接着剤にて固定して形成してある。
【００７０】
前記並び方向側方用パネル単位体３７は、前記パネル形成体４と同様に発泡樹脂製であり、前記並び方向側方用小根太３６は、前記床暖房パネルＰＨの小根太５と同幅であり、又、その床暖房パネルＰＨの小根太５と同様に、ビスの螺入が可能な木製又は樹脂製である
【００７１】
そして、本発明では、小根太並び方向側方用の周辺パネル本体部３２の表面に、前記接着性シート状体１０の幅と同一の幅に形成した小根太並び方向側方用の接着性帯状体３８を、前記床暖房パネルＰＨにおける小根太５の長手方向に沿わせて貼着してある。
【００７２】
説明を加えると、小根太並び方向側方用の接着性帯状体３８を、前記複数の並び方向側方用小根太３６の夫々に対して、その並び方向側方用小根太３６の長手方向の全長にわたって、その並び方向側方用小根太３６及び並び方向側方用パネル単位体３７における並び方向側方用小根太３６に隣接する部分を一連に覆う状態で、それらに貼着して設けてある。
【００７３】
前記小根太並び方向側方用の接着性帯状体３８は、床仕上げ材用接着剤１６（図１０参照）を浸透させないアルミ箔等のシート状体の裏面に接着剤層を備えさせることにより形成して、接着自在で且つ床仕上げ材接着用接着剤１６を浸透させないようにしてある。
そして、その小根太並び方向側方用の接着性帯状体３８を並び方向側方用小根太３６及び並び方向側方用パネル単位体３７に接着させる接着力を、パネル形成体４に対するパネル形成体用均熱体３Ｐの接着力、及び、床仕上げ材用接着剤１６により床仕上げ材１を接着性帯状体３８に接着させる接着力よりも弱くしてある。
又、前記小根太並び方向側方用の接着性帯状体３８の幅を前記接着性シート状体１０の幅と同一の幅に形成することにより、その接着性帯状体３８により、床仕上げ材用接着剤広がり範囲をカバーできるように構成してある。
【００７４】
つまり、小根太並び方向側方用の周辺パネル本体部３２の表面に、その周辺パネル本体部３２が前記床暖房パネルＰＨにおける前記複数の小根太５の並び方向の側方に配置された状態において、その床暖房パネルＰＨにおいて前記小根太ピッチで並ぶ複数の小根太５に連なって前記小根太ピッチで並ぶ状態となるように、小根太並び方向側方用の接着性帯状体３８を並べて貼着してある。
【００７５】
次に、図８ないし図１０に基づいて、上述のように構成した床暖房パネルＰＨ及び周辺パネルＰＡを暖房対象の床に敷設する敷設作業について説明する。尚、小根太長手方向側方用の周辺パネルＰＡｍ及び小根太並び方向側方用の周辺パネルＰＡｎ夫々の敷設作業を、同一の図１０を用いて示している。
尚、この実施形態では、床暖房パネルＰＨについては前記接着性シート状体１０を貼着した状態まで、小根太長手方向側方用の周辺パネルＰＡｍについては小根太長手方向側方用の接着性帯状体３５を貼着した状態まで、小根太並び方向側方用の周辺パネルＰＡｎについては小根太並び方向側方用の接着性帯状体３８を貼着した状態まで、夫々メーカーにて加工して、出荷するようにしてある。
【００７６】
図１及び図８の（イ）に示すように、床下地材１３の表面に接着剤（図示省略）を塗布して、床暖房パネルＰＨを暖房対象の床における所定の位置に敷き、ビス１４を、各小根太５における幅方向の中間部分から、床下地材１３に達するように捩じ込んで、床暖房パネルＰＨを接着剤とビス１４とにより、床下地材１３に固定する。
【００７７】
又、前記小根太５に捩じ込んだ各ビス１４の頭には、ビス用接着性シート１５を貼着する。このビス用接着性シート１５は、アルミ箔等のシート状体の裏面に、ビス１４の頭に対する接着力が前記パネル形成体４に対する均熱体３の接着剤層の接着力よりも弱い接着剤層を備えて形成してある。
【００７８】
又、図１及び図１０の（イ）に示すように、床下地材１３の表面に接着剤（図示省略）を塗布して、前記床暖房パネルＰＨにおける前記小根太５の長手方向の側縁と床区画材との間に、小根太長手方向側方用の周辺パネルＰＡｍを敷き込み、前記床暖房パネルＰＨにおける前記複数の小根太４の並び方向の側方の側縁と床区画材との間に、小根太並び方向側方用の周辺パネルＰＡｎを敷き込んで、それら小根太長手方向側方用の周辺パネルＰＡｍ及び小根太並び方向側方用の周辺パネルＰＡｎを接着剤により、床下地材１３に固定する。
尚、小根太長手方向側方用の周辺パネルＰＡｍは、複数の長手方向側方用小根太３３が床暖房パネルＰＨの複数の小根太５と同位相で並ぶように配置する。
【００７９】
そして、上述のように敷設した床暖房パネルＰＨ、小根太長手方向側方用の周辺パネルＰＡｍ及び小根太並び方向側方用の周辺パネルＰＡｎの表面に床仕上げ材１を敷設することになり、図８の（ロ）及び図９の（ハ）に示すように、床仕上げ材１は、隣接する床仕上げ材１同士を、一方の側面に形成された溝１ｍに他方の側面に形成された突条部１ｒを嵌め込んで接合する、所謂、実接ぎにて接合する構成となっている。
【００８０】
図８の（イ）に示すように、前記床暖房パネルＰＨの小根太５の夫々の表面部における幅方向の中央にその長手方向に沿って床仕上げ材用接着剤１６を塗布する。
又、図１０の（イ）に示すように、小根太長手方向側方用の周辺パネルＰＡｍの小根太長手方向側方用の接着性帯状体３５の表面、及び、小根太並び方向側方用の周辺パネルＰＡｎの小根太並び方向側方用の接着性帯状体３８の表面に、夫々の長手方向に沿って床仕上げ材用接着剤１６を塗布する。
【００８１】
そして、図８の（ロ）及び図９の（ハ）に示すように、床仕上げ材１をその端部が小根太５の幅方向中央部に位置するように配置して、突条部１ｒの根元に釘１７を打ち込み、他の床仕上げ材１を、その溝１ｍに前記釘１７を打ち込んだ床仕上げ材１の突条部１ｒを嵌め込む状態で配置することを繰り返して、床暖房パネルＰＨの表面に、床仕上げ材１を釘１７と床仕上げ材用接着剤１６にて固定する状態で敷設する。
又、図１０の（ロ）に示すように、小根太長手方向側方用の周辺パネルＰＡｍ及び小根太並び方向側方用の周辺パネルＰＡｎの表面には、床仕上げ材１を床仕上げ材用接着剤１６にて固定する状態で敷設する。
【００８２】
そのように、床暖房パネルＰＨ、小根太長手方向側方用の周辺パネルＰＡｍ及び小根太並び方向側方用の周辺パネルＰＡｎの表面に床仕上げ材１を敷設すると、床仕上げ材用接着剤１６が床仕上げ材１に押し付けられて広がることになるが、その広がりが、前記接着性シート状体１０の表面、小根太長手方向側方用の接着性帯状体３５の表面、小根太並び方向側方用の接着性帯状体３８の表面に止まるように構成してある。
【００８３】
図９の（ニ）に示すように、床仕上げ材１の張り替えのために、床仕上げ材１を床暖房パネルＰＨから剥がすと、それと一緒に、その床仕上げ材１に床仕上げ材用接着剤１６にて接着されている接着性シート状体１０、ビス用接着シート１５及び禁止シール覆い用弱接着性テープ１２も剥がれる。
【００８４】
そして、床仕上げ材１を剥がすときに、接着性シート状体１０も一緒に剥がれことにより、前記パネル形成体用均熱体３Ｐや前記パネル形成体４の損傷を防止することができる。
しかも、床仕上げ材１に接着されている接着性シート状体１０と一緒に、小根太用均熱体３Ｋが小根太５から剥がれたとしても、その小根太用均熱体３Ｋはパネル形成体用均熱体３Ｐと別体となっていて、パネル形成体用均熱体３Ｐと縁が切れているので、パネル形成体用均熱体３Ｐまで剥がれるのを防止することができる。
【００８５】
又、釘打ち禁止シール９を覆っている禁止シール覆い用弱接着性テープ１２も剥がれることにより、釘打ち禁止シール９が損傷するのを防止することができる。
又、床仕上げ材１を剥がすときに、ビス１４を覆っているビス用接着シート１５も一緒に剥がれることにより、ビス１４の頭のドライバー係合用の凹溝を床仕上げ材用接着剤１６が入り込まない状態で露出させることができる。
従って、床仕上げ材１を床暖房パネルＰＨから剥がすときに小根太５が損傷して、その損傷した小根太５を取り替えるときには、ビス１４のドライバー係合用の凹溝が露出しているので、ビス１４を容易に抜くことができて、小根太５を容易に取り替えることができる。
【００８６】
図１０の（ハ）に示すように、床仕上げ材１を小根太長手方向側方用の周辺パネルＰＡｍから剥がすときには、その床仕上げ材１と一緒に、それに床仕上げ材用接着剤１６にて接着されている小根太長手方向側方用の接着性帯状体３５も剥がれるので、前記長手方向側方用小根太３３及び前記長手方向側方用パネル単位体３４が損傷するのを抑制することができる。
つまり、小根太長手方向側方用の接着性帯状体３５は床仕上げ材用接着剤１６を浸透させないようにし、又、小根太長手方向側方用の接着性帯状体３５を長手方向側方用小根太３３及び長手方向側方用パネル単位体３４に接着させる接着力を、パネル形成体４に対するパネル形成体用均熱体３Ｐの接着力、及び、床仕上げ材用接着剤１６により床仕上げ材１を接着性帯状体３５に接着させる接着力よりも弱くしてあるので、床仕上げ材１を小根太長手方向側方用の周辺パネルＰＡｍから剥がすときに、長手方向側方用小根太３３及び長手方向側方用パネル単位体３４が損傷するのを抑制しながら、それらから小根太長手方向側方用の接着性帯状体３５が剥がれるようにすることが可能となる。
【００８７】
又、床仕上げ材１を小根太並び方向側方用の周辺パネルＰＡｎから剥がすときには、その床仕上げ材１と一緒に、それに床仕上げ材用接着剤１６にて接着されている小根太並び方向側方用の接着性帯状体３８も剥がれるので、前記並び方向側方用小根太３６及び前記並び方向側方用パネル単位体３７が損傷するのを抑制することができる。
つまり、小根太並び方向側方用の接着性帯状体３８は床仕上げ材用接着剤１６を浸透させないようにし、又、小根太並び方向側方用の接着性帯状体３８を並び方向側方用小根太３６及び並び方向側方用パネル単位体３７に接着させる接着力を、パネル形成体４に対するパネル形成体用均熱体３Ｐの接着力、及び、床仕上げ材用接着剤１６により床仕上げ材１を接着性帯状体３８に接着させる接着力よりも弱くしてあるので、床仕上げ材１を小根太並び方向側方用の周辺パネルＰＡｎから剥がすときに、並び方向側方用小根太３６及び並び方向側方用パネル単位体３７が損傷するのを抑制しながら、それらから小根太並び方向側方用の接着性帯状体３８が剥がれるようにすることが可能となる。
【００８８】
〔第２実施形態〕
以下、図面に基づいて第２実施形態を説明するが、この第２実施形態では、床暖房パネルＰＨについては、主としてパネル形成体用均熱体３Ｐの貼着形態が異なる以外は、上記の第１実施形態と同様に構成してあるので、主として、パネル形成体用均熱体３Ｐの貼着形態について説明し、周辺パネルＰＡについては、第１実施形態と同様であるので、その説明を省略する。
【００８９】
図１１及び図１２に示すように、第１実施形態と同様に小根太嵌入部４ｋ及び溝部４ｍを形成すると共に熱媒流通管２及びヘッダ８を装備したパネル形成体４の表面の全面にわたって、第１実施形態と同様の均熱用シート状体３を貼着する。
その均熱用シート状体３における各小根太嵌入部４ｋを覆う箇所に、小根太嵌入部４ｋの幅方向の中央を通りその長手方向の全長にわたる状態と、小根太嵌入部４ｋの長手方向端部の縁部に沿う状態の切れ目３ｔを形成する。
【００９０】
そして、図１２の（イ）及び（ロ）に示すように、各小根太嵌入部４ｋに、各小根太嵌入部４ｋに対応する小根太５を、均熱用シート状体３の上方からその均熱用シート状体３における小根太嵌入部４ｋを覆う部分を小根太嵌入部４ｋに押し込みながら、小根太嵌入部４ｋに嵌入すると、均熱用シート状体３の小根太嵌入部４ｋを覆っていた部分が、パネル形成体４と小根太５との間に挟まれて保持される状態となり、又、小根太５が分離自在な状態でパネル形成体４に設けられることになる。
【００９１】
つまり、この第２実施形態では、均熱用シート状体３の全体を前記パネル形成体用均熱体３Ｐとしてあり、そのパネル形成体用均熱体３Ｐを、前記パネル形成体４と前記小根太５との間に延びる状態で、前記パネル形成体４の表面に貼着する構成にしてある。
【００９２】
更に、図１２の（ハ）に示すように、上記の第１実施形態と同様に、前記複数の小根太５の夫々に対して、２本の弱接着性テープ２１を、小根太５の幅方向に振り分けた状態で、且つ、夫々が小根太５の長手方向に沿う側縁の略全長にわたって小根太５の表面部とパネル形成体用均熱体３Ｐの小根太隣接部分とに跨る状態で、それら小根太５の表面部とパネル形成体用均熱体３Ｐの小根太隣接部分とに貼着して設けてある。
【００９３】
つまり、第１実施形態と同様に、前記２本の弱接着性テープ２１により、前記接着性シート状体１０を構成してある。
そして、２本の弱接着性テープ２１の間が前記開口部１１に相当するので、第１実施形態と同様に、前記開口部１１を、前記小根太５の表面部における幅方向の中間に対応する部分に、小根太５の長手方向の略全長にわたって連続させて形成してある。
【００９４】
又、この第２実施形態では、前記小根太５の表面部は、小根太５の表面そのものにて構成してあるので、前記接着性シート状体１０は、前記小根太５の表面そのものとパネル形成体用均熱体３Ｐの小根太隣接部分とに跨る状態で貼着してある。
従って、この第２実施形態では、前記小根太５の表面には、第１実施形態の如き小根太用均熱体３Ｋが貼着されていないことから、小根太５の表面部での伝熱性が第１実施形態よりも劣るので、前記開口部１１の幅、即ち、２本の弱接着性テープ２１の間隔を狭くして（たとえば２０ｍｍ程度）、接着性シート状体１０により伝熱性を促進させるのが好ましい。
【００９５】
更に、第１実施形態と同様に、禁止シール覆い用弱接着性テープ１２を、釘打ち禁止シール９上に、その全周からはみ出させる状態で貼着してある。
【００９６】
上述のように構成した床暖房パネルＰＨの敷設作業は第１実施形態と同様であるので、以下、その敷設作業について、図１３及び図１４に基づいて簡単に説明する。尚、周辺パネルＰＡの敷設作業については、第１実施形態と同様であるので説明を省略する。
【００９７】
図１３の（イ）に示すように、床下地材１３の表面に接着剤（図示省略）を塗布して、床暖房パネルＰＨを暖房対象の床の所定の位置に敷き、ビス１４を、各小根太５における幅方向の中間部分から、床下地材１３に達するように捩じ込み、各ビス１４の頭に、ビス用接着性シート１５を貼着する。
続いて、前記床暖房パネルＰＨの小根太５の表面部における幅方向の中央にその長手方向に沿って床仕上げ材用接着剤１６を塗布する。
【００９８】
そして、図１３の（ロ）及び図１４の（ハ）に示すように、床仕上げ材１をその端部が小根太５の幅方向中央部に位置するように配置して、突条部１ｒの根元に釘１７を打ち込み、他の床仕上げ材１を、その溝１ｍに前記釘１７を打ち込んだ床仕上げ材１の突条部１ｒを嵌め込む状態で配置することを繰り返して、床暖房パネルＰＨの表面に、床仕上げ材１を釘１７と床仕上げ材用接着剤１６にて固定する状態で敷設する。
【００９９】
そのように、床暖房パネルＰＨの表面に床仕上げ材１を敷設すると、床仕上げ材用接着剤１６が床仕上げ材１に押し付けられて広がることになるが、その広がりが、前記接着性シート状体１０の表面に止まるように構成してある。
【０１００】
図１４の（ニ）に示すように、床仕上げ材１の張り替えのために、床仕上げ材１を床暖房パネルＰＨから剥がすと、それと一緒に、その床仕上げ材１に床仕上げ材用接着剤１６にて接着されている接着性シート状体１０、ビス用接着シート１５及び禁止シール覆い用弱接着性テープ１２も剥がれる。
【０１０１】
そして、床仕上げ材１を剥がすときに、接着性シート状体１０も一緒に剥がれことにより、前記パネル形成体用均熱体３Ｐや前記パネル形成体４の損傷を防止することができる。
しかも、パネル形成体用均熱体３Ｐの端部が、パネル形成体４と小根太５との間に保持されると共に接着性シート状体１０に接着されていないので、パネル形成体用均熱体３Ｐが端からめくれるのを防止することができ、パネル形成体用均熱体３Ｐが剥がれるのをより確実に防止することができる。
【０１０２】
又、釘打ち禁止シール９を覆っている禁止シール覆い用弱接着性テープ１２も剥がれることにより、釘打ち禁止シール９が損傷するのを防止することができる。
又、床仕上げ材１を剥がすときに、ビス１４を覆っているビス用接着シート１５も一緒に剥がれることにより、ビス１４の頭のドライバー係合用の凹溝を、接着剤が入り込まない状態で露出させることができる。
従って、床仕上げ材１を床暖房パネルＰＨから剥がすときに小根太５が損傷して、その損傷した小根太５を取り替えるときには、ビス１４のドライバー係合用の凹溝が露出しているので、ビス１４を容易に抜くことができて、小根太５を容易に取り替えることができる。
【０１０３】
〔別実施形態〕
次に別実施形態を説明する。
（イ）  帯状の接着性シート状体１０の具体構成としては、上記の各実施形態において例示した構成、即ち、開口部１１を形成すべく小根太５の幅方向に振り分けて配置した２本の弱接着テープ２１にて構成する場合に限定されるものではない。
例えば、図１５及び図１６に示すように、小根太５の幅よりも広い幅を有し且つ開口部１１を形成するための複数の開口部２２ｗを幅方向の中間部に長手方向の略全長にわたって分散状態で備えた開口付接着テープ２２にて構成しても良い。
この場合は、その開口付接着テープ２２を、前記複数の小根太５の夫々に対して、小根太５の両側縁からはみ出させ且つ小根太５の長手方向に沿わせた状態で、小根太５の表面部及び前記パネル形成体用均熱体３Ｐにおける前記小根太に隣接する小根太隣接部分に貼着することになる。
【０１０４】
又、この場合、開口付接着テープ２２は、アルミ箔のシート状体の裏面の全面に、パネル形成体４に対するパネル形成体用均熱体３Ｐの接着力よりも接着力が弱い接着剤層を備えさせて構成することにより、接着性シート状体１０を、その全面の接着力をパネル形成体４に対するパネル形成体用均熱体３Ｐの接着力よりも弱くする状態に構成しても良い。
【０１０５】
又、図１６に示すように、開口付接着テープ２２は、アルミ箔のシート状体の裏面における幅方向の両側に、パネル形成体４に対するパネル形成体用均熱体３Ｐの接着力よりも弱い接着力の弱接着剤層２２ｐを備えさせ、且つ、幅方向の中間部に、パネル形成体４に対するパネル形成体用均熱体３Ｐの接着力と同等の接着力の強接着剤層２２ｓを備えさせて構成しても良い。
つまり、開口付接着テープ２２における弱接着剤層２２ｐを備えた部分をパネル形成体用均熱体３Ｐにおける小根太隣接部分に貼着させるように構成することにより、その開口付接着テープ２２にて構成する接着性シート状体１０を、前記パネル形成体用均熱体３Ｐにおける小根太隣接部分に貼着される部分の接着力を、パネル形成体用均熱体３Ｐがパネル形成体４に止着される止着力よりも弱くする状態に構成することになる。
【０１０６】
又、図１７に示すように、開口付接着テープ２２は、パネル形成体４に対するパネル形成体用均熱体３Ｐの接着力と同等の接着力を有する強接着テープ部分２２ｈの両側夫々に、パネル形成体４に対するパネル形成体用均熱体３Ｐの接着力よりも弱い接着力を有する弱接着テープ部分２２ｃを備えさせて形成しても良い。
つまり、開口付接着テープ２２における弱接着テープ部分２２ｃをパネル形成体用均熱体３Ｐにおける小根太隣接部分に貼着させるように構成することにより、その開口付接着テープ２２にて構成する接着性シート状体１０を、前記パネル形成体用均熱体３Ｐにおける小根太隣接部分に貼着される部分の接着力を、パネル形成体用均熱体３Ｐがパネル形成体４に止着される止着力よりも弱くする状態に構成することになる。
【０１０７】
（ロ）  図１８に示すように、小根太５の表面部を、小根太用均熱体３Ｋを小根太５の表面に止着する状態に構成し、小根太用均熱体３Ｋとパネル形成体用均熱体３Ｐとを、分離用の脆弱接続部３Ｃにて接続しても良い。
この場合、前記分離用の脆弱接続部３Ｃは、図１８に示すように、ミシン目にて構成することができ、又、図示は省略するが、他の部分よりも厚さの薄い薄肉部にて構成することができる。
【０１０８】
（ハ）  上記の実施形態においては、接着性シート状体１０を、熱伝導性が高いアルミ箔等のシート状体の裏面に接着剤層を備えさせて形成することにより、その接着性シート状体１０を熱伝導性の高い材料にて構成したが、樹脂製のシート状体等、熱伝導率がアルミ箔よりも低いシート状体の裏面に接着剤層を備えさせることにより形成しても良い。但し、接着性シート状体１０により、パネル形成体用均熱体３Ｐから小根太５の表面部への熱伝導を良好に行わせるようにするには、接着性シート状体１０を熱伝導性の高い材料にて構成するのが好ましい。
【０１０９】
（ニ）  上記の実施形態では、ビス１４の頭にビス用接着性シート１５を貼着したが、このビス用接着性シート１５に代えて、ビス１４の頭に、床仕上げ材用接着剤１６が接着しないようなコーティング材（例えば、ポリテトラフルオロエチレン等のフッ素系樹脂）を塗布しても良い。
この場合も、床仕上げ材１を床暖房パネルＰＨから剥がしたときに、ビス１４のドライバー係合用の凹溝を床仕上げ材用接着剤１６が入り込まない状態にて露出させることができるので、ビス１４を容易に抜くことができて、小根太５を容易に取り替えることができる。
【０１１０】
（ホ）  上記の各実施形態では、複数の小根太５を、その長手方向の一部分に小根太５が存在しない小根太不存在部分７を形成する状態で、その小根太５の幅方向の間隔を隔てて並設する場合について例示したが、複数の小根太５をその長手方向の一部分に前述のような小根太不存在部分７を形成することなく、その小根太５の幅方向の間隔を隔てて並設しても良い。
【０１１１】
（ヘ）  上記の各実施形態においては、小根太長手方向側方用の周辺パネル本体部３１を複数の長手方向側方用小根太３３と複数の長手方向側方用パネル単位体３４とを互い違いに並べた状態で接着剤にて固定して板状に形成し、小根太並び方向側方用の周辺パネル本体部３２を、複数の並び方向側方用小根太３６と複数の並び方向側方用パネル単位体３７とを互い違いに並べた状態で接着剤にて固定して板状に形成する場合について例示したが、小根太長手方向側方用の周辺パネル本体部３１や小根太並び方向側方用の周辺パネル本体部３２は、合板等の単一の板状体にて形成しても良い。
【０１１２】
（ト）  上記の実施形態においては、床暖房パネルＰＨについては前記接着性シート状体１０を貼着した状態まで、小根太長手方向側方用の周辺パネルＰＡｍについては小根太長手方向側方用の接着性帯状体３５を貼着した状態まで、小根太並び方向側方用の周辺パネルＰＡｎについては小根太並び方向側方用の接着性帯状体３８を貼着した状態まで、夫々メーカーにて加工するようにしたが、床暖房パネルＰＨの設置箇所において、床暖房パネルＰＨに前記接着性シート状体１０を貼着し、小根太長手方向側方用の周辺パネルＰＡｍに小根太長手方向側方用の接着性帯状体３５を貼着し、小根太並び方向側方用の周辺パネルＰＡｎに小根太並び方向側方用の接着性帯状体３８を貼着するようにしても良い。
【０１１３】
（チ）  加熱用長尺体の具体構成としては、上記の各実施形態において例示した如き、熱媒を通流させる熱媒流通管２に限定されるものではなく、例えば、電気ヒータでも良い。
【図面の簡単な説明】
【０１１４】
【図１】第１実施形態に係る床暖房パネル及び床暖房パネル用周辺パネルの敷設状態を示す一部切り欠き平面図
【図２】第１実施形態に係る床暖房パネルの一部切り欠き全体平面図
【図３】第１実施形態に係る床暖房パネルの要部の一部切り欠き斜視図
【図４】図３におけるイ−イ矢視図
【図５】図３におけるロ−ロ矢視図
【図６】第１実施形態に係る床暖房パネル用周辺パネルを示す図
【図７】第１実施形態に係る床暖房パネル用周辺パネルを示す図
【図８】第１実施形態に係る床暖房パネルの敷設作業を説明する要部の縦断面図
【図９】第１実施形態に係る床暖房パネルの敷設作業を説明する要部の縦断面図
【図１０】第１実施形態に係る床暖房パネル用周辺パネルの敷設作業を説明する要部の縦断面図
【図１１】第２実施形態に係る床暖房パネルの製作手順を説明する要部の一部切り欠き斜視図
【図１２】第２実施形態に係る床暖房パネルの製作手順を説明する要部の縦断面図
【図１３】第２実施形態に係る床暖房パネルの敷設作業を説明する要部の縦断面図
【図１４】第２実施形態に係る床暖房パネルの敷設作業を説明する要部の縦断面図
【図１５】別実施形態に係る床暖房パネルの要部の一部切り欠き斜視図
【図１６】別実施形態に係る床暖房パネルの要部の縦断面図
【図１７】別実施形態に係る床暖房パネルの要部の縦断面図
【図１８】別実施形態に係る床暖房パネルの要部の一部切り欠き斜視図
【符号の説明】
【０１１５】
２    加熱用長尺体
３ｚ  脆弱接続部
３Ｋ  小根太用均熱体
３Ｐ  パネル形成体用均熱体
４    パネル形成体
５    小根太
１０  帯状の接着性シート状体
１１  開口部
３１  小根太長手方向側方用の周辺パネル本体部
３２  小根太並び方向側方用の周辺パネル本体部
３５  小根太長手方向側方用の接着性帯状体
３８  小根太並び方向側方用の接着性帯状体
【図１】
0004399401.tif 000002
【図２】
0004399401.tif 000003
【図３】
0004399401.tif 000004
【図４】
0004399401.tif 000005
【図５】
0004399401.tif 000006
【図６】
0004399401.tif 000007
【図７】
0004399401.tif 000008
【図８】
0004399401.tif 000009
【図９】
0004399401.tif 000010
【図１０】
0004399401.tif 000011
【図１１】
0004399401.tif 000012
【図１２】
0004399401.tif 000013
【図１３】
0004399401.tif 000014
【図１４】
0004399401.tif 000015
【図１５】
0004399401.tif 000016
【図１６】
0004399401.tif 000017
【図１７】
0004399401.tif 000018
【図１８】
0004399401.tif 000019